(57)【要約】【課題】    棒状の筆記具に備えられるクリップにおいては、被挟持物の厚み等の違いがあっても十分な挟持力が得られ、且つ筆記時にはクリップが邪魔にならず手で筆記具を保持し易いことが望まれると同時に、携帯時は棒状の筆記具の長さが短くなるように折り畳めることが望まれる。更には、クリップの挟持操作が簡便、且つ色々な被挟持場所に筆記具を適切な角度で留めることができることが望まれる。【解決手段】  筆記具本体（３）に対して揺動可能な一対のアーム（１）及び（２）を備えるクリップ（１０）を具備する。【選択図】          図２
2008307761.tif 000002
【特許請求の範囲】
【請求項１】
一端部にペン先を備え、他端部に第１軸線が配置される棒状の筆記具本体と、
一端部に第１挟持部を備える棒状の第１アームと、一端部に第２挟持部を備え前記第１挟持部及び前記第２挟持部が開閉可能に前記第１軸線に略平行な第２軸線を中心に前記第１アームに対して揺動可能な棒状の第２アームと、前記第１挟持部及び前記第２挟持部が閉じる方向に働く付勢力と、を備え、前記第１軸線を中心に揺動可能に前記筆記具本体に支持されるクリップと、
を具備し、
前記筆記具本体の長手方向に前記第１アームの長手方向が沿うように配置される第１状態と、
前記第１状態から前記第１軸線を中心に前記筆記具本体及び前記クリップを相対揺動させ前記筆記具本体の一端部及び前記第１アームの一端部が遠ざかるように配置される第２状態と、
を有する、
クリップ付き筆記具。
【請求項２】
前記筆記具本体及び前記クリップの相対揺動可能範囲は前記第１状態及び前記第２状態の間に制限される、
請求項１に記載のクリップ付き筆記具。
【請求項３】
前記第１アームの他端部に第１指掛部と、
前記第２アームの他端部に第２指掛部と、
を備え、
前記第１指掛部に前記第２指掛部が近づくように前記第２アームを揺動させることで前記第１挟持部及び前記第２挟持部が開く、
請求項１から請求項２のいずれかに記載のクリップ付き筆記具。
【請求項４】
前記筆記具本体の長手方向に沿うように前記筆記具本体の外周に溝形状が備えられ、
前記第１状態において前記第１アームの一部が前記溝形状に嵌るように配置される、
請求項１から請求項３のいずれかに記載のクリップ付き筆記具。
【請求項５】
前記付勢力は、前記第１アーム及び前記第２アームの間に設けられる付勢部材によって発生される、
請求項１から請求項４のいずれかに記載のクリップ付き筆記具。
【発明の詳細な説明】
【技術分野】
【０００１】
本発明は、クリップを具備する筆記具に関する。
【背景技術】
【０００２】
棒状の筆記具に備えられるクリップにおいては、特許文献１のように中間部が筆記具本体に揺動可能に支持され、一端部が閉じる方向に付勢されており、他端部を筆記具本体の方向に押圧することで一端部が開くようなアイデアが知られている。
また、特許文献２のようにクリップを具備し、且つ複数の芯を備え選択的に使用可能な多芯筆記具のアイデアが知られている。
【０００３】
【特許文献１】特開２００６−２４０１０５号公報
【特許文献２】特開２００６−３２６９５５号公報
【０００４】
折り畳み式の棒状の筆記具においては、特許文献３から５のように、およそ半分の長さに折り畳み可能なアイデアが知られている。
【０００５】
【特許文献３】特開２００５−３４３０４８号公報
【特許文献４】特開２００１−１２１８７５号公報
【特許文献５】実開平０６−０４５７９２号公報
【発明の開示】
【発明が解決しようとする課題】
【０００６】
棒状の筆記具に備えられるクリップにおいては、被挟持物の厚み等の違いがあっても十分な挟持力が得られ、且つ筆記時にはクリップが邪魔にならず手で筆記具を保持し易いことが望まれると同時に、携帯時は棒状の筆記具の長さが短くなるように折り畳めることが望まれる。
【０００７】
更には、クリップの挟持操作が簡便、且つ色々な被挟持場所に筆記具を適切な角度で留めることができることが望まれる。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係るクリップ付き筆記具は、例えば図１から４の組み、図５及び６の組み、図７及び８の組み、のいずれかの組みのように、
一端部にペン先４を備え、他端部に軸線１１が配置される棒状の筆記具本体３と、
一端部に挟持部６を備える棒状のアーム１と、一端部に挟持部７を備え挟持部６及び７が開閉可能に軸線１１に略平行な軸線１２を中心にアーム１に対して揺動可能な棒状のアーム２と、挟持部６及び７が閉じる方向に働く付勢力と、を備え、軸線１１を中心に揺動可能に筆記具本体３に支持されるクリップ１０と、
を具備し、
筆記具本体３の長手方向にアーム１の長手方向が沿うように配置される例えば図３のような第１状態と、
前記第１状態から軸線１１を中心に筆記具本体３及びクリップ１０を相対揺動させ筆記具本体３の一端部及びアーム１の一端部が遠ざかるように配置される例えば図１、５及び７のいずれかのような第２状態と、
を有する、
クリップ付き筆記具である。
【００１０】
ここで、筆記具とは鉛筆、芯を送り出すタイプの鉛筆、フェルトペン、万年筆、ボールペン、修正ペン、芯を送り出すタイプの消しゴム、化粧用のペン等を表す。
【００１１】
発明２に係るクリップ付き筆記具は、発明１のクリップ付き筆記具において、例えば図１から４の組み、図５及び６の組み、図７及び８の組み、のいずれかの組みのように、
筆記具本体３及びクリップ１０の相対揺動可能範囲は前記第１状態及び前記第２状態の間に制限される、
クリップ付き筆記具である。
【００１２】
発明３に係るクリップ付き筆記具は、発明１から２のいずれかのクリップ付き筆記具において、例えば図１から４の組み、図５及び６の組み、図７及び８の組み、のいずれかの組みのように、
アーム１の他端部に指掛部８と、
アーム２の他端部に指掛部９と、
を備え、
指掛部８に指掛部９が近づくようにアーム２を揺動させることで挟持部６及び７が開く、
クリップ付き筆記具である。
【００１３】
発明４に係るクリップ付き筆記具は、発明１から３のいずれかのクリップ付き筆記具において、例えば図１から４の組み、図５及び６の組み、図７及び８の組み、のいずれかの組みのように、
筆記具本体３の長手方向に沿うように筆記具本体３の外周２４に溝形状１４が備えられ、
前記第１状態においてアーム１の一部が溝形状１４に嵌るように配置される、
クリップ付き筆記具である。
【００１４】
発明５に係るクリップ付き筆記具は、発明１から４のいずれかのクリップ付き筆記具において、例えば図１から４の組み、図５及び６の組み、のいずれかの組みのように、
前記付勢力は、アーム１及び２の間に設けられる付勢部材１５によって発生される、
クリップ付き筆記具である。
【発明の効果】
【００１５】
以上のように本発明では、アーム１及び２を備えることによって被挟持物の厚み等の違いに十分対応可能であり、且つ筆記時は例えば図１のように筆記具本体３及びクリップ１０を展開して十分な長さの筆記具となるので従来筆記時は邪魔だったクリップが有効活用されて手で保持し易くなると同時に、携帯時は例えば図３のようにクリップ１０を折り畳むことで非常に短くなり、且つ例えば図４のようにアーム２を揺動させれば従来の筆記具のクリップと同様に使用できる。
【００１６】
さらに発明３では、本発明の効果に加えて、指掛部８及び９を摘むだけでクリップ１０の挟持操作が可能になり、且つ筆記具本体３及びクリップ１０の相対揺動角度がいかなる場合でもクリップ１０を被挟持物に簡便に挟持操作できるような構成が容易に得られる。
【００１７】
さらに発明４では、本発明の効果に加えて、例えば図３のような第１状態において外周２４及び挟持部６の繋がりが良好になるので、例えば胸ポケットに携帯するような場合にスムーズな挟持操作が可能となる。
【発明を実施するための最良の形態】
【００１８】
〔第１実施形態〕
図１から４において、筆記具本体３は円筒状で、一端部の先端の穴５からボールペンの芯１８のペン先４が出ており、また中間部の外周２４には筆記具本体３の長手方向に沿うように溝形状１４が成型されており、また他端部の両支持部１３を通り筆記具本体３の長手方向に対して略垂直な軸線１１を中心とする軸部２２が両支持部１３と一体成型されており、また内部１９には芯１８が収納されている。ここで、芯１８を内部１９に入れる為の詳細な構造は図１から４で省略されているが、実際には筆記具本体３の一端部が別体となって芯１８の収納後に螺合されるような構造等が考えられる。また、ノック式としてペン先４を収納可能にしたり、多芯式としてインクの色を選択可能にしても良い。
【００１９】
また、アーム１は円柱を縦割りにしたような形状であり、一端部に平面状の挟持部６と、中間部にアーム１の長手方向に対して略垂直な方向にＶ字状の溝形状２０と、他端部の外周に指掛部８と、が一体に備えられている。また、アーム２も円柱を縦割りにしたような形状であり、一端部に平面状の挟持部７と、中間部にアーム２の長手方向に対して略垂直な方向にＶ字状の溝形状２１と、他端部の外周に指掛部９と、が一体に備えられている。
【００２０】
また、組み立てに際しては溝形状２０に軸部２２を嵌め、続いて溝形状２１に軸部２２を嵌め、続いてＣ字状のバネである付勢部材１５の一端部１６をアーム１の挟持部６及び溝形状２０の中間の外周に、他端部１７をアーム２の挟持部７及び溝形状２１の中間の外周に当接させる。また組み立てられたクリップ１０は円柱状であり、また付勢部材１５によってアーム１及び２が近づく方向に付勢されて挟持部６及び７が閉じる方向の付勢力が発生されると共に、軸部２２を溝形状２０及び２１で挟む方向の付勢力も発生されているのでクリップ１０が軸部２２を中心に揺動する際に軸部２２及び溝形状２０の間、及び、軸部２２及び溝形状２１の間に適度な摩擦力が発生するのでクリップ１０を適当な揺動角度で留め易くなる。
【００２１】
また、図３のような第１状態において、アーム１の外周が溝形状１４に嵌ってそれ以上アーム１が紙面時計回りに揺動出来ないように制限されているが、指掛部８及び９を指で摘むことでアーム２は軸線１１と同心である軸線１２を中心として紙面反時計回りに図４のように揺動可能である。また、図２のような第２状態において、アーム２の他端部が筆記具本体３の当たり形状２３に当たってそれ以上アーム２が紙面反時計回りに揺動出来ないように制限されているが、指掛部８及び９を指で摘むことでアーム１は軸線１２を中心として紙面時計回りに揺動可能である。
【００２２】
また、図４のような状態では胸ポケットに収納することが容易であるし、図１のような状態で挟持部６及び７を開いて鞄の縁を挟んでから筆記具本体３及びクリップ１０を相対揺動させて筆記具本体３を鞄に寄り添わせるような使い方も出来る。
また、図１のような状態では筆記具本体３の一端部を指で摘み、アーム１の一端部を親指及び人差し指の付根付近に当てることで、確実な筆記が可能である。
【００２３】
〔第２実施形態〕
第２実施形態は第１実施形態のクリップ付き筆記具を小変更したものであるので、変更点について記載する。
図５及び６において、軸線１１を中心とする軸部２２は両支持部１３に備えられた貫通穴に圧入され支持される軸ピンである。
【００２４】
また、アーム１の中間部の凸形状にアーム１の長手方向に対して略垂直な方向に貫通穴２５が開けられている。また貫通穴２５の両端にそれぞれ配置されるアーム２の中間部の二つの凸形状にアーム２の長手方向に対して略垂直な方向に貫通穴２６が開けられている。
【００２５】
また、組み立てに際しては指掛部８及び９の内側にそれぞれ円筒コイル状の圧縮バネである付勢部材１５の一端部１６及び他端部１７を当接させ、続いて両支持部１３の間に貫通穴２５及び２６を配置し、貫通穴２５及び２６を貫通するように軸部２２を構成する軸ピンを挿入し両支持部１３に固定する。また付勢部材１５によって指掛部８及び９が離れる方向に付勢されて挟持部６及び７が閉じる方向の付勢力が発生されると共に、軸部２２を貫通穴２５及び２６の内周で挟む方向の付勢力も発生されているのでクリップ１０が軸部２２を中心に揺動する際に軸部２２及び貫通穴２５の内周の間、及び、軸部２２及び貫通穴２６の内周の間に適度な摩擦力が発生するのでクリップ１０を適当な揺動角度で留め易くなる。
【００２６】
〔第３実施形態〕
第３実施形態は第１実施形態のクリップ付き筆記具を小変更したものであるので、変更点について記載する。
図７及び８において、軸線１１を中心とする軸部２２は両支持部１３に備えられた貫通穴に圧入され支持される軸ピンである。
【００２７】
また、アーム１の中間部の凸形状にアーム１の長手方向に対して略垂直な方向に貫通穴２５が開けられている。またアーム１の中間部及びアーム２の中間部は接続部２７によって接続されるように一体成型されている。
【００２８】
また、組み立てに際しては両支持部１３の間に貫通穴２５を配置し、貫通穴２５を貫通するように軸部２２を構成する軸ピンを挿入し両支持部１３に固定する。また一体成型されたアーム１及び２と接続部２７の素材の弾力性による付勢によって挟持部６及び７が閉じる方向の付勢力が発生される。またアーム１及び２は接続部２７付近に配置され軸線１１に対して略平行である軸線１２を中心として相対揺動可能である。
【００２９】
また、図８のような第２状態において、アーム１の他端部が筆記具本体３の当たり形状２３に当たってそれ以上アーム１が紙面反時計回りに揺動出来ないように制限されている。
【００３０】
〔その他の実施形態〕
第３実施形態において、アーム１又は２と別体、又は、アーム１及び２と別体に接続部２７を成形し、素材の弾力性によって挟持部６及び７が閉じる方向の付勢力を発生させても良い。
【００３１】
第１から第３実施形態のいずれかにおいて、筆記具本体３の内部１９にボールペン以外の筆記具の構成部材を収めることは当業者であれば容易であるので、記載は省略する。
【図面の簡単な説明】
【００３２】
【図１】第１実施形態の第２状態を第三角法で表す図
【図２】図１の線分Ａ−Ａ断面図（芯１８の断面省略）
【図３】第１実施形態の第１状態を表す図
【図４】第１実施形態の第１状態の挟持部６及び７を開いた図
【図５】第２実施形態の第２状態を第三角法で表す図
【図６】図５の線分Ｂ−Ｂ断面図（芯１８の断面省略）
【図７】第３実施形態の第２状態を第三角法で表す図
【図８】図７の線分Ｃ−Ｃ断面図（芯１８の断面省略）
【符号の説明】
【００３３】
１,２.                                 アーム
３.                                      筆記具本体
４.                                      ペン先
５.                                      穴
６,７.                                 挟持部
８,９.                                 指掛部
１０.                                  クリップ
１１,１２.                          軸線
１３.                                  両支持部
１４,２０,２１.                 溝形状
１５.                                  付勢部材
１６.                                  一端部
１７.                                  他端部
１８.                                  芯
１９.                                  内部
２２.                                  軸部
２３.                                  当たり形状
２４.                                  外周
２５,２６.                          貫通穴
２７.                                  接続部
【図１】
2008307761.tif 000003
【図２】
2008307761.tif 000004
【図３】
2008307761.tif 000005
【図４】
2008307761.tif 000006
【図５】
2008307761.tif 000007
【図６】
2008307761.tif 000008
【図７】
2008307761.tif 000009
【図８】
2008307761.tif 000010
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
一端部にペン先を備え、他端部に第１軸線を有する棒状の筆記具本体と、
一端部に第１挟持部を備える棒状の第１アームと、一端部に第２挟持部を備え前記第１挟持部及び前記第２挟持部が開閉可能に前記第１軸線に略平行な第２軸線を中心に前記第１アームに対して揺動可能な棒状の第２アームと、を備え、前記第１挟持部及び前記第２挟持部が閉じる方向に働く付勢力を有し、前記第１軸線を中心に揺動可能に前記筆記具本体に支持されるクリップと、
を具備し、
前記筆記具本体の長手方向に前記第１アームの長手方向が沿うように配置される第１状態と、
前記第１状態から前記第１軸線を中心に前記筆記具本体及び前記クリップを相対揺動させ前記筆記具本体の一端部及び前記第１アームの一端部が遠ざかるように配置される第２状態と、
を有する、
クリップ付き筆記具。
【請求項２】
前記筆記具本体及び前記クリップの相対揺動可能範囲は前記第１状態及び前記第２状態の間に制限される、
請求項１に記載のクリップ付き筆記具。
【請求項３】
前記第１アームの他端部に第１指掛部と、
前記第２アームの他端部に第２指掛部と、
を備え、
前記第１指掛部に前記第２指掛部が近づくように前記第２アームを揺動させることで前記第１挟持部及び前記第２挟持部が開く、
請求項１から請求項２のいずれかに記載のクリップ付き筆記具。
【請求項４】
前記筆記具本体の長手方向に沿うように前記筆記具本体の外周に溝形状が備えられ、
前記第１状態において前記第１アームの一部が前記溝形状に嵌るように配置される、
請求項１から請求項３のいずれかに記載のクリップ付き筆記具。
【請求項５】
前記付勢力は、前記第１アーム及び前記第２アームの間に設けられる付勢部材によって発生される、
請求項１から請求項４のいずれかに記載のクリップ付き筆記具。
【手続補正２】
【補正対象書類名】明細書
【補正対象項目名】全文
【補正方法】変更
【補正の内容】
【発明の詳細な説明】
【技術分野】
【０００１】
本発明は、クリップを具備する筆記具に関する。
【背景技術】
【０００２】
棒状の筆記具に備えられるクリップにおいては、特許文献１のように中間部が筆記具本体に揺動可能に支持され、一端部が閉じる方向に付勢されており、他端部を筆記具本体の方向に押圧することで一端部が開くようなアイデアが知られている。
また、特許文献２のようにクリップを具備し、且つ複数の芯を備え選択的に使用可能な多芯筆記具のアイデアが知られている。
【０００３】
【特許文献１】特開２００６−２４０１０５号公報
【特許文献２】特開２００６−３２６９５５号公報
【０００４】
折り畳み式の棒状の筆記具においては、特許文献３から５のように、およそ半分の長さに折り畳み可能なアイデアが知られている。
【０００５】
【特許文献３】特開２００５−３４３０４８号公報
【特許文献４】特開２００１−１２１８７５号公報
【特許文献５】実開平０６−０４５７９２号公報
【発明の開示】
【発明が解決しようとする課題】
【０００６】
棒状の筆記具に備えられるクリップにおいては、被挟持物の厚み等の違いがあっても十分な挟持力が得られ、且つ筆記時にはクリップが邪魔にならず手で筆記具を保持し易いことが望まれると同時に、携帯時は棒状の筆記具の長さが短くなるように折り畳めることが望まれる。
【０００７】
更には、クリップの挟持操作が簡便、且つ色々な被挟持場所に筆記具を適切な角度で留めることができることが望まれる。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係るクリップ付き筆記具は、例えば図１から４の組み、図５及び６の組み、図７及び８の組み、のいずれかの組みのように、
一端部にペン先４を備え、他端部に軸線１１を有する棒状の筆記具本体３と、
一端部に挟持部６を備える棒状のアーム１と、一端部に挟持部７を備え挟持部６及び７が開閉可能に軸線１１に略平行な軸線１２を中心にアーム１に対して揺動可能な棒状のアーム２と、を備え、挟持部６及び７が閉じる方向に働く付勢力を有し、軸線１１を中心に揺動可能に筆記具本体３に支持されるクリップ１０と、
を具備し、
筆記具本体３の長手方向にアーム１の長手方向が沿うように配置される例えば図３のような第１状態と、
前記第１状態から軸線１１を中心に筆記具本体３及びクリップ１０を相対揺動させ筆記具本体３の一端部及びアーム１の一端部が遠ざかるように配置される例えば図１、５及び７のいずれかのような第２状態と、
を有する、
クリップ付き筆記具である。
【００１０】
ここで、筆記具とは鉛筆、芯を送り出すタイプの鉛筆、フェルトペン、万年筆、ボールペン、修正ペン、芯を送り出すタイプの消しゴム、化粧用のペン等を表す。
【００１１】
発明２に係るクリップ付き筆記具は、発明１のクリップ付き筆記具において、例えば図１から４の組み、図５及び６の組み、図７及び８の組み、のいずれかの組みのように、
筆記具本体３及びクリップ１０の相対揺動可能範囲は前記第１状態及び前記第２状態の間に制限される、
クリップ付き筆記具である。
【００１２】
発明３に係るクリップ付き筆記具は、発明１から２のいずれかのクリップ付き筆記具において、例えば図１から４の組み、図５及び６の組み、図７及び８の組み、のいずれかの組みのように、
アーム１の他端部に指掛部８と、
アーム２の他端部に指掛部９と、
を備え、
指掛部８に指掛部９が近づくようにアーム２を揺動させることで挟持部６及び７が開く、
クリップ付き筆記具である。
【００１３】
発明４に係るクリップ付き筆記具は、発明１から３のいずれかのクリップ付き筆記具において、例えば図１から４の組み、図５及び６の組み、図７及び８の組み、のいずれかの組みのように、
筆記具本体３の長手方向に沿うように筆記具本体３の外周２４に溝形状１４が備えられ、
前記第１状態においてアーム１の一部が溝形状１４に嵌るように配置される、
クリップ付き筆記具である。
【００１４】
発明５に係るクリップ付き筆記具は、発明１から４のいずれかのクリップ付き筆記具において、例えば図１から４の組み、図５及び６の組み、のいずれかの組みのように、
前記付勢力は、アーム１及び２の間に設けられる付勢部材１５によって発生される、
クリップ付き筆記具である。
【発明の効果】
【００１５】
以上のように本発明では、アーム１及び２を備えることによって被挟持物の厚み等の違いに十分対応可能であり、且つ筆記時は例えば図１のように筆記具本体３及びクリップ１０を展開して十分な長さの筆記具となるので従来筆記時は邪魔だったクリップが有効活用されて手で保持し易くなると同時に、携帯時は例えば図３のようにクリップ１０を折り畳むことで非常に短くなり、且つ例えば図４のようにアーム２を揺動させれば従来の筆記具のクリップと同様に使用できる。
【００１６】
さらに発明３では、本発明の効果に加えて、指掛部８及び９を摘むだけでクリップ１０の挟持操作が可能になり、且つ筆記具本体３及びクリップ１０の相対揺動角度がいかなる場合でもクリップ１０を被挟持物に簡便に挟持操作できるような構成が容易に得られる。
【００１７】
さらに発明４では、本発明の効果に加えて、例えば図３のような第１状態において外周２４及び挟持部６の繋がりが良好になるので、例えば胸ポケットに携帯するような場合にスムーズな挟持操作が可能となる。
【発明を実施するための最良の形態】
【００１８】
〔第１実施形態〕
図１から４において、筆記具本体３は円筒状で、一端部の先端の穴５からボールペンの芯１８のペン先４が出ており、また中間部の外周２４には筆記具本体３の長手方向に沿うように溝形状１４が成型されており、また他端部の両支持部１３を通り筆記具本体３の長手方向に対して略垂直な軸線１１を中心とする軸部２２が両支持部１３と一体成型されており、また内部１９には芯１８が収納されている。ここで、芯１８を内部１９に入れる為の詳細な構造は図１から４で省略されているが、実際には筆記具本体３の一端部が別体となって芯１８の収納後に螺合されるような構造等が考えられる。また、ノック式としてペン先４を収納可能にしたり、多芯式としてインクの色を選択可能にしても良い。
【００１９】
また、アーム１は円柱を縦割りにしたような形状であり、一端部に平面状の挟持部６と、中間部にアーム１の長手方向に対して略垂直な方向にＶ字状の溝形状２０と、他端部の外周に指掛部８と、が一体に備えられている。また、アーム２も円柱を縦割りにしたような形状であり、一端部に平面状の挟持部７と、中間部にアーム２の長手方向に対して略垂直な方向にＶ字状の溝形状２１と、他端部の外周に指掛部９と、が一体に備えられている。
【００２０】
また、組み立てに際しては溝形状２０に軸部２２を嵌め、続いて溝形状２１に軸部２２を嵌め、続いてＣ字状のバネである付勢部材１５の一端部１６をアーム１の挟持部６及び溝形状２０の中間の外周に、他端部１７をアーム２の挟持部７及び溝形状２１の中間の外周に当接させる。また組み立てられたクリップ１０は円柱状であり、また付勢部材１５によってアーム１及び２が近づく方向に付勢されて挟持部６及び７が閉じる方向の付勢力が発生されると共に、軸部２２を溝形状２０及び２１で挟む方向の付勢力も発生されているのでクリップ１０が軸部２２を中心に揺動する際に軸部２２及び溝形状２０の間、及び、軸部２２及び溝形状２１の間に適度な摩擦力が発生するのでクリップ１０を適当な揺動角度で留め易くなる。
【００２１】
また、図３のような第１状態において、アーム１の外周が溝形状１４に嵌ってそれ以上アーム１が紙面時計回りに揺動出来ないように制限されているが、指掛部８及び９を指で摘むことでアーム２は軸線１１と同心である軸線１２を中心として紙面反時計回りに図４のように揺動可能である。また、図２のような第２状態において、アーム２の他端部が筆記具本体３の当たり形状２３に当たってそれ以上アーム２が紙面反時計回りに揺動出来ないように制限されているが、指掛部８及び９を指で摘むことでアーム１は軸線１２を中心として紙面時計回りに揺動可能である。
【００２２】
また、図４のような状態では胸ポケットに収納することが容易であるし、図１のような状態で挟持部６及び７を開いて鞄の縁を挟んでから筆記具本体３及びクリップ１０を相対揺動させて筆記具本体３を鞄に寄り添わせるような使い方も出来る。
また、図１のような状態では筆記具本体３の一端部を指で摘み、アーム１の一端部を親指及び人差し指の付根付近に当てることで、確実な筆記が可能である。
【００２３】
〔第２実施形態〕
第２実施形態は第１実施形態のクリップ付き筆記具を小変更したものであるので、変更点について記載する。
図５及び６において、軸線１１を中心とする軸部２２は両支持部１３に備えられた貫通穴に圧入され支持される軸ピンである。
【００２４】
また、アーム１の中間部の凸形状にアーム１の長手方向に対して略垂直な方向に貫通穴２５が開けられている。また貫通穴２５の両端にそれぞれ配置されるアーム２の中間部の二つの凸形状にアーム２の長手方向に対して略垂直な方向に貫通穴２６が開けられている。
【００２５】
また、組み立てに際しては指掛部８及び９の内側にそれぞれ円筒コイル状の圧縮バネである付勢部材１５の一端部１６及び他端部１７を当接させ、続いて両支持部１３の間に貫通穴２５及び２６を配置し、貫通穴２５及び２６を貫通するように軸部２２を構成する軸ピンを挿入し両支持部１３に固定する。また付勢部材１５によって指掛部８及び９が離れる方向に付勢されて挟持部６及び７が閉じる方向の付勢力が発生されると共に、軸部２２を貫通穴２５及び２６の内周で挟む方向の付勢力も発生されているのでクリップ１０が軸部２２を中心に揺動する際に軸部２２及び貫通穴２５の内周の間、及び、軸部２２及び貫通穴２６の内周の間に適度な摩擦力が発生するのでクリップ１０を適当な揺動角度で留め易くなる。
【００２６】
〔第３実施形態〕
第３実施形態は第１実施形態のクリップ付き筆記具を小変更したものであるので、変更点について記載する。
図７及び８において、軸線１１を中心とする軸部２２は両支持部１３に備えられた貫通穴に圧入され支持される軸ピンである。
【００２７】
また、アーム１の中間部の凸形状にアーム１の長手方向に対して略垂直な方向に貫通穴２５が開けられている。またアーム１の中間部及びアーム２の中間部は接続部２７によって接続されるように一体成型されている。
【００２８】
また、組み立てに際しては両支持部１３の間に貫通穴２５を配置し、貫通穴２５を貫通するように軸部２２を構成する軸ピンを挿入し両支持部１３に固定する。また一体成型されたアーム１及び２と接続部２７の素材の弾力性による付勢によって挟持部６及び７が閉じる方向の付勢力が発生される。またアーム１及び２は接続部２７付近に配置され軸線１１に対して略平行である軸線１２を中心として相対揺動可能である。
【００２９】
また、図８のような第２状態において、アーム１の他端部が筆記具本体３の当たり形状２３に当たってそれ以上アーム１が紙面反時計回りに揺動出来ないように制限されている。
【００３０】
〔その他の実施形態〕
第３実施形態において、アーム１又は２と別体、又は、アーム１及び２と別体に接続部２７を成形し、素材の弾力性によって挟持部６及び７が閉じる方向の付勢力を発生させても良い。
【００３１】
第１から第３実施形態のいずれかにおいて、筆記具本体３の内部１９にボールペン以外の筆記具の構成部材を収めることは当業者であれば容易であるので、記載は省略する。
【図面の簡単な説明】
【００３２】
【図１】第１実施形態の第２状態を第三角法で表す図
【図２】図１の線分Ａ−Ａ断面図（芯１８の断面省略）
【図３】第１実施形態の第１状態を表す図
【図４】第１実施形態の第１状態の挟持部６及び７を開いた図
【図５】第２実施形態の第２状態を第三角法で表す図
【図６】図５の線分Ｂ−Ｂ断面図（芯１８の断面省略）
【図７】第３実施形態の第２状態を第三角法で表す図
【図８】図７の線分Ｃ−Ｃ断面図（芯１８の断面省略）
【符号の説明】
【００３３】
１,２.                                 アーム
３.                                      筆記具本体
４.                                      ペン先
５.                                      穴
６,７.                                 挟持部
８,９.                                 指掛部
１０.                                  クリップ
１１,１２.                          軸線
１３.                                  両支持部
１４,２０,２１.                 溝形状
１５.                                  付勢部材
１６.                                  一端部
１７.                                  他端部
１８.                                  芯
１９.                                  内部
２２.                                  軸部
２３.                                  当たり形状
２４.                                  外周
２５,２６.                          貫通穴
２７.                                  接続部